(57)【要約】【目的】  構造が簡単で廉価なファンアウト対策を有する枚葉印刷機のスイング装置の提供を目的とする。【構成】  送紙手段から送られて来た枚葉紙３を印刷部に給紙する枚葉印刷機のスイング装置において、枚葉紙３を咥えて搬送する爪１と、爪１を搭載する爪軸２および爪台取付板とを有しスイング軸に支持される咥え爪手段と、スイング軸および咥え爪手段を揺動させる駆動手段と、スイング軸の揺動に応じて爪軸２および爪台取付板を湾曲させるカムとコロからなる湾曲手段とを具備し、咥え爪手段は爪軸２および爪台取付板が湾曲した状態で枚葉紙３を咥えることを特徴とする。【選択図】  図１
2006341435.tif 000002
【特許請求の範囲】
【請求項１】
送紙手段から送られて来た枚葉紙を印刷部に給紙する枚葉印刷機のスイング装置において、
枚葉印刷機の左右のフレームの間に回動自在に支持されたスイング軸と、
このスイング軸にその両端を支持レバーを介して支持され、給紙された紙を咥えて搬送する爪と爪軸および爪台取付板を有する咥え爪手段と、
前記スイング軸および前記咥え爪手段を揺動させる駆動手段と、
前記スイング軸の揺動に応じて前記爪軸および爪台取付板を湾曲させる湾曲手段とを具備し、
前記咥え爪手段は前記爪軸および爪台取付板が湾曲した状態で紙咥えを行なうことを特徴とするスイング装置。
【請求項２】
送紙手段から送られて来た枚葉紙を印刷部に給紙する枚葉印刷機のスイング装置において、
枚葉印刷機の左右のフレームの間に回動自在に支持されたスイング軸と、
このスイング軸にその両端を支持レバーを介して支持され、給紙された紙を咥えて搬送する爪と爪軸および爪台取付板を有する咥え爪手段と、
前記スイング軸および前記咥え爪手段を揺動させる駆動手段と、
前記スイング軸の揺動に応じて前記スイング軸、爪軸および爪台取付板を湾曲させる湾曲手段とを具備し、
前記咥え爪手段は前記スイング軸、爪軸および爪台取付板が湾曲した状態で紙咥えを行なうことを特徴とするスイング装置。
【請求項３】
前記左右のフレームの間に支持部材を有し、前記湾曲手段は、前記スイング軸と前記爪軸および爪台取付板の間に設けられた支持ステーと、前記支持部材上の前記左右のフレームからの中央部との間に設けられていることを特徴とする請求項１または請求項２に記載のスイング装置。
【請求項４】
前記湾曲手段は、前記支持ステーに設けられたコロと、前記支持部材の前記左右のフレームからの中央部に設けられたカムとを有することを特徴とする請求項１乃至請求項３のいずれか１項に記載のスイング装置。
【請求項５】
前記湾曲手段は、前記支持ステーに設けられたカムと、前記支持部材の前記左右のフレームからの中央部に設けられたコロとを有することを特徴とする請求項１乃至請求項３のいずれか１項に記載のスイング装置。
【請求項６】
前記湾曲手段は湾曲量の調整手段を有することを特徴とする請求項１乃至請求項５のいずれか１項に記載のスイング装置。
【発明の詳細な説明】
【技術分野】
【０００１】
本発明は、多色刷枚葉オフセット印刷機のスイング装置に関し、特にファンアウトを減少することが可能な多色刷枚葉オフセット印刷機のスイング装置に関する。
【背景技術】
【０００２】
ファンアウト対策とは、印刷部にて印刷対象の枚葉紙に歪みが発生した場合に、印刷見当が正しく行なわれるための対策を言う。即ち、印刷時に水分や印刷加圧によって紙尻に延びや縮みが発生し、印刷見当がずれるのを防止するために、通常は前もって枚葉紙紙くわえ段階でずれ分を補正しておく対策である。
【０００３】
このようなファンアウト対策の従来例として、駆動手段により、爪台および爪軸を搬送方向に撓ませる変位手段を設けた例が報告されている（特許文献１参照。）。
この例では、左右のフレーム間に設けられたスイング軸に支持レバーを設け、この支持レバーで爪軸と爪台を支持させる。さらにスイング軸内にロッドを設け、このロッドと爪軸と爪台の中央部との間に変位手段を設け、ロッドをスイング軸の外側まで伸ばして駆動手段に連結し、駆動手段でロッドを紙幅方向に往復運動させて変位手段を動かし、これで爪軸と爪台を撓ませた状態で紙を咥えるようにしてファンアウト対策を行なうようにしている。
【特許文献１】特開平０７-５２３６１号公報
【発明の開示】
【発明が解決しようとする課題】
【０００４】
しかし、上述の従来例は、構造がかなり複雑であり、そのため、製造コストが高くなるという不都合があった。
本発明は、比較的簡単な方法でこの問題を解決して、構造が簡単で廉価なファンアウト対策を有する枚葉印刷機のスイング装置を提供することを課題とする。
【課題を解決するための手段】
【０００５】
上記課題を解決するため、本発明の請求項1に記載の発明は、送紙手段から送られて来た枚葉紙を印刷部に給紙する枚葉印刷機のスイング装置において、枚葉印刷機の左右のフレームの間に回動自在に支持されたスイング軸と、このスイング軸にその両端を支持レバーを介して支持され、給紙された紙を咥えて搬送する爪と爪軸および爪台取付板を有する咥え爪手段と、前記スイング軸および前記咥え爪手段を揺動させる駆動手段と、前記スイング軸の揺動に応じて前記爪軸および爪台取付板を湾曲させる湾曲手段とを具備し、前記咥え爪手段は前記爪軸および爪台取付板が湾曲した状態で紙咥えを行なうことを特徴とする。
【０００６】
上記課題を解決するため、本発明の請求項２に記載の発明は、送紙手段から送られて来た枚葉紙を印刷部に給紙する枚葉印刷機のスイング装置において、枚葉印刷機の左右のフレームの間に回動自在に支持されたスイング軸と、このスイング軸にその両端を支持レバーを介して支持され、給紙された紙を咥えて搬送する爪と爪軸および爪台取付板を有する咥え爪手段と、前記スイング軸および前記咥え爪手段を揺動させる駆動手段と、前記スイング軸の揺動に応じて前記スイング軸、爪軸および爪台取付板を湾曲させる湾曲手段とを具備し、前記咥え爪手段は前記スイング軸、爪軸および爪台取付板が湾曲した状態で紙咥えを行なうことを特徴とする。
【０００７】
上記課題を解決するため、本発明の請求項３に記載の発明は、請求項１または請求項２に記載のスイング装置において、前記左右のフレームの間に支持部材を有し、前記湾曲手段は、前記スイング軸と前記爪軸および爪台取付板の間に設けられた支持ステーと、前記支持部材上の前記左右のフレームからの中央部との間に設けられていることを特徴とする。
【０００８】
上記課題を解決するため、本発明の請求項４に記載の発明は、請求項１乃至請求項３のいずれか１項に記載のスイング装置において、前記湾曲手段は、前記支持ステーに設けられたコロと、前記支持部材の前記左右のフレームからの中央部に設けられたカムとを有することを特徴とする。
【０００９】
上記課題を解決するため、本発明の請求項５に記載の発明は、請求項１乃至請求項３のいずれか１項に記載のスイング装置において、前記湾曲手段は、前記支持ステーに設けられたカムと、前記支持部材の前記左右のフレームからの中央部に設けられたコロとを有することを特徴とする。
【００１０】
上記課題を解決するため、本発明の請求項６に記載の発明は、請求項１乃至請求項５のいずれか１項に記載のスイング装置において、前記湾曲手段は湾曲量の調整手段を有することを特徴とする。
【発明の効果】
【００１１】
本発明は、以上のように構成したので、印刷対象の枚葉紙の受け渡しの際に、爪軸が湾曲した状態で爪が枚葉紙を咥え、印刷部に咥え代える時には爪軸が真直ぐな状態に戻るようにしているので、枚葉紙が印刷される際の水分や圧力によって紙尻が左右に伸びる現象を補正して適切なファンアウト対策を行なうことができ、多色印刷時の印刷見当のずれを補正して印刷品質を向上させることができる。また、湾曲手段をコロとカムを用いた比較的簡単な構成で実現しているので、装置を廉価に実現することができる。
【発明を実施するための最良の形態】
【００１２】
以下、本発明を図面に沿って詳細に説明する。
【００１３】
図１は、本発明のスイング装置におけるファンアウトへの対応の原理を説明する説明図である。図１において、符号１は爪、符号２は爪軸、符号３は枚葉紙である。
本発明のスイング装置は、枚葉紙３を咥える段階では、図１（ａ）に示すように、爪軸２を湾曲させた状態で咥え、印刷部の渡胴へ受け渡すときには、図１（ｂ）に示すように、爪軸２を真直ぐに復旧させた状態で行なうようにする。これにより、枚葉紙３の紙尻が渡胴への受け渡し時まで伸ばされた状態になり、第２色目以降の多色印刷において、紙尻が左右に伸びる現象が起きて印刷の見当精度の向上が見込める。
【００１４】
図２は、本発明にかかるスイング装置の一実施の形態の正面図である。図３は、本発明にかかるスイング装置の一実施の形態の分解斜視図である。図２及び図３において、符号１は爪、符号２は爪軸、符号３は枚葉紙、符号４は爪台、符号６及び７は左右の支持ステー、符号８はコロ、符号９はカム、符号１０は引張りばね、符号１１はスイング軸、符号１２はファンアウト対応手段としての支持ステー、符号１３はファンアウト対応手段としてのコロ、符号１４は爪台取付板、符号２１はファンアウト対応手段としてのカム、符号２９及び３０は左右の本体フレーム、符号３１及び３２は軸受けである。
【００１５】
図２において、スイング軸１１は左右の本体フレーム２９、３０に、軸受３１、３２を介して回動自在に取り付けられている。爪１を取り付けた爪軸２、及び爪台４を取り付けた爪台取付板１４は、左右の支持ステー６、７を介してスイング軸１１に支持されている。また、ファンアウト対応手段としての支持ステー１２が左右の支持ステー６、７のほぼ中央部分に設けられている。支持ステー１２の下部にはファンアウト対応用のコロ１３が取り付けられている。コロ８は、爪軸２の端部に固定したレバー８ａに取り付けられている。カム９は本体フレーム２９に固定されており、引張りばね１０によりコロ８と常時当接している。コロ８とカム９とは爪軸２の回転動作と爪１の開閉動作を制御する。即ち、コロ８がカム９の形状に沿って移動することで、その間に挟まれた爪軸２が回動しその回動動作に伴って爪１が開閉動作する。なお、図２で矢印Ａは枚葉紙３の進行方向を示している。
【００１６】
図４は、本実施の形態にかかるスイング装置のファンアウト対応手段の側面図で、スイング軸１１のほぼ中央部分から支持ステー１２の側面を見た図である。
先にも述べたように、スイング軸１１は左右の本体フレーム２９、３０に回動自在に取り付けられており、このスイング軸１１の左右の本体フレーム２９、３０からほぼ等間隔の中央部分に支持ステー１２が設けられている。この支持ステー１２の端部にはファンアウト対応手段としてのコロ１３が、また、軸受けを介して爪軸２が、さらに、爪台取付板１４を介して爪台４が取り付けられている。スイング軸１１には、左の本体フレーム２９の外側から、その端部１１ａとカムやレバーを介して印刷機本体からの動力が伝えられ、それによって往復回動するように構成されているが、動力伝達系の詳細はここでは省略した。このとき、支持ステー１２の端部に設けられたコロ１３は、図４で示すように爪１が枚葉紙３を咥える時点の１３ａ点と枚葉紙３を受け渡す時点の１３ｂ点の間を往復移動する。
【００１７】
一方、左右の本体フレーム２９、３０ととともにこのスイング装置のフレーム枠の一部を構成し、左右の本体フレーム２９、３０を連結するステーを構成する支持部材２２が、左右の本体フレーム２９、３０に固定されている。この支持部材２２には、ファンアウトフレーム２３が取り付けられていて、このファンアウトフレーム２３にはファンアウト対応手段としてのカム２１が搭載されている。
【００１８】
この機構が枚葉紙を搬送する動作は、従来の紙搬送機構と概ね同じなので、ここでは詳しく説明しないが、スイング装置がスイング軸１１を中心に回動し、支持ステー１２が枚葉紙３を印刷部に渡す開放位置から戻って、紙送りローラから送り出された枚葉紙３を加える位置まで回動すると、支持ステー１２の端部に設けられたコロ１３は図３の１３ｂ点から１３ａ点に移動し、その間でファンアウトフレーム２３に搭載されているカム２１に当接する。コロ１３とカム２１とが当接した後、さらにスイング軸１１の回動と支持ステー１２の回動が進むと、カム２１がコロ１３を押し込むため、スイング軸１１とそれに取り付けられている爪軸２と爪台取付板１４が湾曲し、爪１の配列が図１の（ｂ）に示す位置に変形され、この状態で紙咥えが行なわれる。
【００１９】
カム２１はカム軸２７を中心に回動し、その高さは、ファンアウト調整軸２４、２５の回転によって調整される。図５にこのファンアウト調整軸２４、２５の調整機構が示されている。左の本体フレーム２９の外側に突出したつまみ２６を操作し、２本の調整軸２４、２５と５個の歯車を動かしてカム２１を上下させてその高さを微調する。これによってスイング軸１１の湾曲量を調整することができ、紙尻の伸びに微妙に対応して印刷見当の精度を向上することができる。この調整動作は、印刷機の運転中でも実行可能である。
【００２０】
本発明のスイング装置は、このように、紙咥え時に、ファンアウトフレーム２３に搭載されたカム２１をスイング軸１１の支持ステー１２に設けられたコロ１３に当接させることで、スイング軸１１を湾曲させるとともに、スイング軸１１に取り付けられている爪軸２や爪台取付板１４をも湾曲させる。これによって枚葉紙３が印刷部に咥え代えされるときまで、爪１が咥えた枚葉紙３の紙尻が引張られて紙尻が左右に伸びるので、印刷見当のずれを補正することができる。
【００２１】
この実施の形態では、支持ステー１２にコロ１３を、ファンアウトフレーム２３にカム２１を設けたが、これを逆に支持ステー１２側にカムを、ファンアウトフレーム２３側にコロを設ける構成にしても、同様な機能を実現することができるのはいうまでもない。
この実施の形態では、また、支持ステー１２をスイング軸１１に固定して、コロ１３とカム２１の当接によってスイング軸１１と爪軸２と爪台が同時に湾曲するようにしたが、支持ステー１２が所定の範囲内で揺動可能な程度にスイング軸１１にルーズに支持されるようにすることによって、コロ１３とカム２１の当接の際にスイング軸１１は湾曲せず、爪軸２と爪台だけが同時に湾曲するような構成としてスイング軸１１の機械的な負担を低減することもできる。
【００２２】
上述のように、本実施の形態のスイング装置は、左右のフレームからほぼ等距離の中央部分に設けられたコロ１３とカム２１とからなる湾曲手段を用いた比較的簡単な構成によって、印刷対象の枚葉紙３の受け渡しの際に、爪軸２が湾曲した状態で爪１が枚葉紙3を咥え、印刷部に咥え代える時には爪軸２が真直ぐな状態に戻るようにしている。これにより、比較的廉価に且つ効果的に、枚葉紙３が印刷される際の水分や圧力によって紙尻が左右に伸びるようにすることができ、これによって、多色印刷時の印刷見当のずれを補正して適切なファンアウト対策を実現し、印刷品質を向上させることができる。また、カム２１、ファンアウトフレーム２３を設ける支持部材２２として本体フレームの一部を用いているので、その分廉価に構成することができる。
以上に述べた本実施の形態でのコロとカムを用いた湾曲手段に代えて、スイング軸の揺動に同期して回動する小型の回転機器やスライド機構などを使った湾曲手段を用いても同様な効果を示す構成が可能になる。
【産業上の利用可能性】
【００２３】
本発明のスイング装置は以上に説明したように、枚葉紙の多色印刷時に印刷見当のずれをなくして印刷品質を向上することができるので、このような印刷業界で広く用いて効果を上げることができる。
【図面の簡単な説明】
【００２４】
【図１】本発明のスイング装置におけるファンアウトへの対応の原理を説明する説明図である。
【図２】本発明にかかるスイング装置の一実施の形態の正面図である。
【図３】図２の実施の形態の分解斜視図である。
【図４】図２の実施の形態にかかるスイング装置のファンアウト対応手段の側面図である。
【図５】図２の実施の形態に用いられるファンアウト調整機構の構成図である。
【符号の説明】
【００２５】
１    爪
２    爪軸
３    枚葉紙
４    爪台
６、７  支持ステー
８    コロ
９    カム
１０  引張りばね
１１  スイング軸
１２  支持ステー
１３  ファンアウト対応用コロ
１４  爪台取付板
２１  ファンアウト対応用カム
２２  支持部材
２３  ファンアウトフレーム
２４、２５  ファンアウト調整軸
２６  つまみ
２７  カム軸
２９、３０  本体フレーム
３１、３２  軸受け
【図１】
2006341435.tif 000003
【図２】
2006341435.tif 000004
【図３】
2006341435.tif 000005
【図４】
2006341435.tif 000006
【図５】
2006341435.tif 000007